(57)【要約】【課題】容易に導光板と保護板との間に空間を形成して組み立てることができ、部品点数を減らすことができる表示装置及び表示装置用の固定枠を提供する。【解決手段】表示装置１は、光源５と、光源５からの光を画像の表示面２ａ側に反射可能な平面状の反射面１１ａが形成された光を透過可能な導光板２と、導光板２を保護するための一対の保護板３、４と、一対の保護板３、４の間に導光板２を保持するための固定枠７とを備えている。固定枠７には、導光板２の表示面２ａ及び裏面２ｂの外周部を覆う一対の押圧部２２、２３の間に導光板２の外周部が嵌め込まれる固定溝２１が形成されている。【選択図】図２
2008216583.tif 000002
【特許請求の範囲】
【請求項１】
光源と、
前記光源からの光を画像の表示面側に反射可能な反射面であって、少なくとも一部が平面状の反射面が形成されるとともに光を導光可能な導光板と、
前記導光板を保護するための一対の保護板と、
前記一対の保護板の間に前記導光板を固定するための固定枠とを備え、
前記固定枠には、前記導光板の表示面及び裏面の外周部の少なくとも一部を覆う一対の壁部の間に前記導光板の外周部が嵌め込まれる固定溝が形成されていることを特徴とする表示装置。
【請求項２】
前記固定枠の外周部には、前記保護板の外周面と接して、前記保護板の位置決めをするための位置決め部が形成されていることを特徴とする請求項１に記載の表示装置。
【請求項３】
前記固定枠の位置決め部には、前記保護板の外面の外周部を覆う規制部が形成されていることを特徴とする請求項２に記載の表示装置。
【請求項４】
前記固定枠は、光を透過可能な材料から構成されていることを特徴とする請求項１〜３のいずれか１項に記載の表示装置。
【請求項５】
前記一対の壁部は、前記導光板の表示面及び裏面を押圧可能に形成されていることを特徴とする請求項１〜４のいずれか１項に記載の表示装置。
【請求項６】
前記固定枠と前記保護板に囲まれた領域が気密構造となるように、前記固定枠と前記保護板とが封止されていることを特徴とする請求項１〜５のいずれか１項に記載の表示装置。
【請求項７】
画像表示用の導光板の表示面及び裏面の外周部の少なくとも一部を覆うとともに一対の保護板が固定される一対の壁部を備え、前記一対の壁部の間には前記導光板の外周部が嵌め込まれる固定溝が形成されていることを特徴とする表示装置用の固定枠。
【請求項８】
光を透過可能な材料からなることを特徴とする請求項７に記載の表示装置用の固定枠。
【請求項９】
前記一対の壁部は、前記導光板を押圧可能に形成されていることを特徴とする請求項７または８に記載の表示装置用の固定枠。
【発明の詳細な説明】
【技術分野】
【０００１】
本発明は、模様などを表示することができディスプレイなどに用いられる表示装置及び表示装置用の固定枠に関する。
【背景技術】
【０００２】
従来、発光ダイオードや有機ＥＬ素子などの点光源を用いて文字、図形又は模様などの画像を表示してディスプレイなどに用いられる表示装置が知られている。例えば、特許文献１には、２枚の透明なガラス板の間に、複数の発光ダイオードを配置して所望の画像を表示する表示装置が開示されている。このような表示装置では、ドットの数だけ発光ダイオードが必要になり、また、発光ダイオードの数に合わせて配線も必要になるため、構成が非常に複雑になり高価になるといった問題があった。
【０００３】
そこで、構成を簡略化するために、光を透過可能な導光板の端面にのみ発光ダイオードなどを配列し、導光板を導光する光の一部を反射させることによって画像を表示する表示装置が知られている。
【０００４】
例えば、上述した表示装置として、レーザ加工によって導光板の一面に複数の凹部を形成し、その凹部の表面により光を反射して画像を表示する構成が知られている。しかし、レーザ加工によって曲面により囲まれた複数の凹部を導光板に形成するためには、導光板を厚くしなければならないので、表示装置の薄型化が困難であるといった問題があった。
【０００５】
そこで、近年、レーザ加工以外の製造方法によって、導光板を薄くすることにより表示装置の薄型化が進められている。しかしながら、導光板を薄く構成した場合、導光板の表示面に形成された傷や付着した汚れが目立つといった問題が生じていた。そこで、導光板に傷が形成されることなどを抑制するために、一対の保護板により導光板の表示面及び裏面を保護する構成が提案されている。
【０００６】
このように保護板により導光板を保護する場合に、導光板と保護板とを密着させると、振動などにより導光板と保護板に傷が形成されるといった問題や、干渉縞が生じるといった問題があった。そのため、スペーサによって導光板と保護板との間に所定の空間を形成した状態で、一対の保護板の外周部をポスター用の固定枠により挟み込むことによって固定する技術が提案されている。
【特許文献１】欧州特許第０９９５１９９号明細書
【発明の開示】
【発明が解決しようとする課題】
【０００７】
しかしながら、上述した表示装置では、導光板と保護板との間に所定の空間を形成するために複数のスペーサが必要なため、部品点数の増加といった課題がある。また、上述した導光板及び保護板の固定方法では、一方の保護板の上にスペーサを載置した状態で導光板をスペーサ上に載置し、更に、導光板の上にスペーサを載置した状態で他方の保護板を載置した後に、固定枠で固定することになるが、その際、スペーサが位置ずれを起こすので、組み立てが困難であるといった課題がある。また、スペーサを導光板に接着剤などにより固定することも考えられるが、このように構成すると導光板を導光する光が接着剤を介して外部へ漏れるので、現実的な解決方法とはならない。
【０００８】
本発明は、上述した課題を解決するために創案されたものであり、導光板と保護板との間に容易に空間を保ちつつ組み立てることができ、部品点数を減らすことができる表示装置及び表示装置用の固定枠を提供することを目的としている。
【課題を解決するための手段】
【０００９】
本発明の請求項１に係る表示装置は、光源と、前記光源からの光を画像の表示面側に反射可能な反射面であって、少なくとも一部が平面状の反射面が形成されるとともに光を導光可能な導光板と、前記導光板を保護するための一対の保護板と、前記一対の保護板の間に前記導光板を固定するための固定枠とを備え、前記固定枠には、前記導光板の表示面及び裏面の外周部の少なくとも一部を覆う一対の壁部の間に前記導光板の外周部が嵌め込まれる固定溝が形成されていることを特徴とする。
【００１０】
本発明の請求項２に係る表示装置は、請求項１に記載の表示装置において、前記固定枠の外周部には、前記保護板の外周面と接して、前記保護板の位置決めをするための位置決め部が形成されていることを特徴とする。
【００１１】
本発明の請求項３に係る表示装置は、請求項２に記載の表示装置において、前記固定枠の位置決め部には、前記保護板の外面の外周部を覆う規制部が形成されていることを特徴とする。
【００１２】
本発明の請求項４に係る表示装置は、請求項１〜３のいずれか１項に記載の表示装置において、前記固定枠は、光を透過可能な材料から構成されていることを特徴とする。
【００１３】
本発明の請求項５に係る表示装置は、請求項１〜４のいずれか１項に記載の表示装置において、前記一対の壁部は、前記導光板の表示面及び裏面を押圧可能に形成されていることを特徴とする。
【００１４】
本発明の請求項６に係る表示装置は、請求項１〜５のいずれか１項に記載の表示装置において、前記固定枠と前記保護板に囲まれた領域が気密構造となるように、前記固定枠と前記保護板とが封止されていることを特徴とする。
【００１５】
本発明の請求項７に係る表示装置用の固定枠は、画像表示用の導光板の表示面及び裏面の外周部の少なくとも一部を覆うとともに一対の保護板が固定される一対の壁部を備え、前記一対の壁部の間には前記導光板の外周部が嵌め込まれる固定溝が形成されていることを特徴とする。
【００１６】
本発明の請求項８に係る表示装置用の固定枠は、請求項７に記載の表示装置用の固定枠において、光を透過可能な材料からなることを特徴とする。
【００１７】
本発明の請求項９に係る表示装置用の固定枠は、請求項７または８に記載の表示装置用の固定枠において、前記一対の壁部は、前記導光板を押圧可能に形成されていることを特徴とする。
【発明の効果】
【００１８】
本発明による表示装置及び表示装置用の固定枠では、固定枠に導光板の外周部の少なくとも一部が挿入される固定溝を形成するとともに、外周部の一部を覆う壁部を設けることによって、スペーサなどを用いることなく、固定溝に導光板を挿入するだけで、導光板と保護板との間に壁部によって空間を形成することができる。これにより、部品点数を減らすことができるとともに、導光板と保護板との間に容易に空間を保ちつつ組み立てることができる。
【発明を実施するための最良の形態】
【００１９】
（第１実施形態）
以下、本発明の実施の形態を、図面を参照して説明する。図１は、第１実施形態による表示装置の全体斜視図である。図２は、表示装置の分解斜視図である。図３は、図１におけるＩＩＩ−ＩＩＩ線に沿った断面図である。図４は、図１におけるＩＶ−ＩＶ線に沿った断面図である。図５は、図４の一部拡大図である。尚、以下の説明において、図１に矢印で示す上下方向を上下方向として定義する。
【００２０】
図１〜図５に示すように、表示装置１は、導光板２と、一対の保護板３、４と、光源５と、基板６と、固定枠７とを備えている。
【００２１】
導光板２は、光を導光可能なアクリル樹脂からなる長方形の板状であって約１ｍｍ〜約３ｍｍの厚みに形成されている。以下、符号２ａを画像が表示される導光板２の上面を表示面とし、符号２ｂを導光板２の下面を裏面として説明する。導光板２の裏面２ｂには、複数のドット状の凹部１１が形成されている。凹部１１の一面には、平面視にて矩形状で且つ平面状の反射面１１ａが形成されている。反射面１１ａは、光源５からの光を表示面２ａへと反射するためのものであって、裏面２ｂに対して所定の角度α（図５参照）で傾斜するように構成されている。ここで、反射面１１ａの裏面２ｂに対する傾斜角度αは、多くの光を表示面２ａ側に反射できるように、例えば、４５°〜６０°、好ましくは５０°〜５５°に形成することが望ましい。また、導光板２の厚みに対する凹部１１の深さ（高さ）の比は、容易に視認できるように、１／５〜２／３が好ましい。
【００２２】
また、反射面１１ａの表面粗さ（最大高さ）（ＪＩＳ  Ｂ  ０６０１−１９９４）は、１μｍ以下、好ましくは、０．１μｍ以下がよい。表目粗さを小さくすることによって、反射面１１ａで反射される光の方向をより揃えることができる。
【００２３】
一対の保護板３、４は、導光板２の表示面２ａ及び裏面２ｂに傷が形成されることや汚れが付着することを抑制するためのものである。保護板３、４は、光を透過可能なアクリル樹脂からなり導光板２よりも一回り大きい長方形の板状に形成されている。保護板３、４は、干渉縞の発生を抑制するために、導光板２と約１ｍｍ〜約２ｍｍ程度の空間（空気層）Ｇを介して固定枠７の上面２５及び下面２６に固定されている。
【００２４】
光源５は、導光板２の端面２ｃに設けられ、所定の間隔で端面２ｃに沿って配置された複数の発光ダイオード（図示略）を備えている。尚、発光ダイオードが発光する光の色は特に限定されるのではなく、青、緑、赤、又は複数の色を組み合わせてもよい。
【００２５】
基板６は、光源５と電気的に接続され、光源５に設けられた発光ダイオードを制御するためのものである。基板６は、後述する固定枠７のコネクタ２７を介して電力が供給される供給部６ａを備えている。
【００２６】
固定枠７は、一対の保護板３、４の間に導光板２を一定の空間Ｇを保った状態で固定するためのものである。固定枠７は、光を透過可能なアクリル樹脂によって構成され、導光板２の各端面に配置された、数ｍｍ〜約２０ｍｍの幅を有する４つの枠部７ａ、７ｂ、７ｃ、７ｄからなる。
【００２７】
図２〜図４に示すように、３つの枠部７ｂ、７ｃ、７ｄの上下方向の中央部には、長さ方向の全域にわたって固定溝２１が形成されている。また、３つの枠部７ｂ、７ｃ、７ｄの上下端部の内側には、長さ方向の全域にわたって上側の押圧部２２及び下側の押圧部２３が形成されている。尚、一対の押圧部２２、２３が請求項に記載の一対の壁部に相当する。導光板２の外周部が枠部７ｂ、７ｃ、７ｄの固定溝２１に嵌め込まれると、枠部７ｂ、７ｃ、７ｄの押圧部２２、２３により導光板２の表示面２ａ及び裏面２ｂの外周部が覆われ且つ押圧されることによって挟持される。これにより、導光板２が固定枠７に固定される。
【００２８】
また、導光板２が押圧部２２、２３により押圧された状態を微視的に視ると、導光板２は点接触によって押圧部２２、２３に押圧されているので、導光板２と押圧部２２、２３との間の大部分には空気が介在する。そして、空気が介在する部分では導光板２を導光する光は導光板２と空気との界面で反射される。従って、接着剤を介して固定枠と導光板とを接着した場合は接着剤が介在する領域から導光板を導光する光が漏れるが、本実施形態では、導光板２を導光する光は、導光板２と押圧部２２、２３とが点接触した部分のみからしか漏れないので、導光する光の漏れが抑制される。
【００２９】
また、図２に示すように、光源５側に設置される枠部７ａには、基板６の供給部６ａと外部の電源（図示略）とを中継して基板６に電力を供給するためのコネクタ２７が一体的に設けられている。尚、図４に示すように、枠部７ａにも固定溝２１及び押圧部２２、２３が形成されているが、枠部７ａは光源５及び基板６よりも外側に配置されるので、枠部７ａの固定溝２１には導光板２が挿入されない。
【００３０】
また、図３及び図４に示すように、固定枠７の上面２５及び下面２６には、保護板３、４が紫外線硬化樹脂（図示略）によって接着されて固定されている。尚、図１に示すように、固定枠７の外周面と保護板３、４の外周面は一致するように形成されている。また、隣接する枠部７ａ、７ｂ、７ｃ、７ｄ同士は、接着面２４を介して紫外線硬化樹脂（図示略）によって接着されている。これらによって、固定枠７及び保護板３、４により囲まれた領域は、封止されて気密構造となる。
【００３１】
次に、上述した表示装置の動作説明を行う。
【００３２】
まず、外部の電源から基板６に電力が供給されると、光源５に設けられた１又は複数の発光ダイオードが発光する。発光ダイオードの光は、導光板２の上下面及び側面で反射されつつ導光する。そして、図５の矢印に示すように、導光する光のうち凹部１１の反射面１１ａに達した光は、反射面１１ａによって反射されて表示面２ａ側から外部へと照射される。そして、複数の凹部１１の反射面１１ａによって反射された光によりドット状の輝点が形成され、これらの輝点によって模様、図形または文字などの画像が表示面２ａに表示される。
【００３３】
次に、上述した表示装置の製造工程を、組み立て工程を中心に説明する。図６〜図８は、各組み立て工程における斜視図である。
【００３４】
まず、枠部７ａ、７ｂ、７ｃ、７ｄを作製する。枠部７ａ、７ｂ、７ｃ、７ｄの作製方法は、特に限定するものではないが、例えば、アクリル樹脂により固定溝２１が形成された棒状部材（図示略）を金型成型した後、各枠部７ａ、７ｂ、７ｃ、７ｄの長さに対応させて当該棒状部材を切断することによって作製することができる。尚、このように棒状部材を切断することにより枠部７ａ、７ｂ、７ｃ、７ｄを作製する場合、異なる大きさの導光板２に容易に対応することができる。
【００３５】
次に、アクリル樹脂製の板を所望の形状に成形した後、複数の凹部１１を当該アクリル樹脂製の板に形成して、導光板２を作製する。ここで、導光板２の作製方法は、特に限定されるものではないが、例えば、アクリル樹脂製の板を加熱して軟化させた状態で、凹部１１に対応した金型を当該板の所望の位置に配置して冷却することによって凹部１１を成型することによって作製できる。このようにして複数の凹部１１を形成することによって、導光板２を作製することができる。そして、導光板２の一端面２ｃに光源５及び基板６を設置する。
【００３６】
次に、図６に示すように、枠部７ｂ、７ｃ、７ｄの固定溝２１に導光板２が挿入されるとともに、枠部７ｂ、７ｃ、７ｄの接着面２４同士を接触させる。その後、図７に示すように、枠部７ａが、接着面２４が枠部７ｂ、７ｄの接着面２４と接触した状態で配置される。ここで、枠部７ａ、７ｂ、７ｃ、７ｄの接着面２４と隣接する枠部７ａ、７ｂ、７ｃ、７ｄの接着面２４との間には、紫外線硬化樹脂が塗布されている。この状態で、各接着面２４に紫外線を照射することによって、各接着面２４と接着面２４との間の紫外線硬化樹脂を硬化させて接着する。
【００３７】
次に、固定枠７の上面２５及び下面２６に紫外線硬化樹脂を塗布した状態で、図８に示すように、固定枠７の上面２５及び下面２６の外周部と保護板３、４の外周部が一致するように、固定枠７の上面２５及び下面２６に保護板３、４を配置する。この状態で、固定枠７の上面２５及び下面２６に紫外線を照射することにより、紫外線硬化樹脂を硬化させる。これによって、固定枠７の上面２５及び下面２６に保護板３、４が固定されて、固定枠７及び保護板３、４に囲まれた領域が気密構造を保った状態で封止される。この結果、表示装置１が完成する。
【００３８】
上述したように第１実施形態による表示装置１では、固定枠７に導光板２の３辺の外周部が挿入される固定溝２１を形成するとともに、外周部の一部を覆う押圧部２２、２３を設けることによって、スペーサなどを用いることなく、固定溝２１に導光板２を挿入するだけで、導光板２と保護板３、４との間に一定の間隔を形成することができる。これにより、部品点数を減らすことができるとともに、導光板２と保護板３、４との間に容易に一定の空間Ｇを保ちつつ組み立てることができる。
【００３９】
また、固定枠７が、光を透過可能なアクリル樹脂により構成されているので、固定枠７がユーザの視界に入ることを抑制することができる。これにより、ユーザを画像に集中させることができ、表現の幅を広げることができる。また、固定枠７の外周部と保護板３、４の外周部とを一致するように構成することによって、固定枠７の幅及び厚みを小さくすることができるとともに、よりユーザの視界に入ることを抑制できる。
【００４０】
また、固定枠７に導光板２の表示面２ａ及び裏面２ｂを押圧可能な一対の押圧部２２、２３を設けることによって、接着剤を用いることなく、点接触した状態で導光板２を固定枠７に固定することができるので、接着剤を用いた場合に比べて、導光板２を導光する光の漏れを抑制することができる。
【００４１】
また、固定枠７の各枠部７ａ、７ｂ、７ｃ、７ｄと保護板３、４とを紫外線硬化樹脂により封止することによって固定枠７と保護板３、４とにより囲まれた領域を容易に気密構造とすることができる。更に、気密構造にすることによって、表示装置１を屋外などに設置することができるので、設置場所の自由度を広げることができる。
【００４２】
また、レーザ加工により導光板に凹部を形成した場合、凹部の表面には小さい凹凸が形成されて粗面化されるとともに、凹部の反射面が曲面に形成されるので、反射光を一方向に反射することができないために、光が広がって見える。しかしながら、第１実施形態の表示装置１では、反射面１１ａが平面になるように金型によって凹部１１が形成されているので、反射面１１ａで反射された光が略一方向に進行する。これにより、反射面１１ａで反射された光が広がることがないので、各凹部１１により表現されるドットを明瞭に表示することができる。
【００４３】
（第２実施形態）
次に、上述した第１実施形態の一部を変更した第２実施形態による表示装置について図面を参照して説明する。尚、第１実施形態と同様の構成には同じ符号を付けて説明を省略する。図９は、第２実施形態による表示装置の分解斜視図である。図１０は、第１実施形態における図３に相当する図である。
【００４４】
図９及び図１０に示すように、第２実施形態による表示装置１Ａでは、固定枠３７の各枠部３７ａ、３７ｂ、３７ｃ、３７ｄの外周部の上端部及び下端部に、保護板３、４の位置決めをするための位置決め部４１、４２が、周方向の全域にわたって一体的に形成されている。位置決め部４１、４２の内周面は、保護板３、４の外周面と接するように形成されている。また、位置決め部４１、４２の高さは、保護板３、４の厚みと等しくなるように形成されている。尚、位置決め部４１、４２は、周方向の全域にわたって形成する必要はなく、保護板３、４の外周面の一部と接するように、周方向の一部に形成してもよい。
【００４５】
上述したように第２実施形態による表示装置１Ａでは、固定枠３７の外周部に位置決め部４１、４２が形成されているので、組み立て工程において、位置決め部４１、４２の内側に保護板３、４を載置することによって、容易に保護板３、４を位置決めすることができる。また、組み立て後においても、保護板３、４の位置ずれを抑制できる。
【００４６】
（第３実施形態）
次に、上述した第１及び第２実施形態の一部を変更した第３実施形態による表示装置について図面を参照して説明する。尚、第１及び第２実施形態と同様の構成には同じ符号を付けて説明を省略する。図１１は、第３実施形態による表示装置の分解斜視図である。図１２は、第１実施形態における図３に相当する図である。
【００４７】
図１１及び図１２に示すように、第３実施形態による表示装置１Ｂの固定枠４７の各枠部４７ａ、４７ｂ、４７ｃ、４７ｄの位置決め部４１の上端部及び位置決め部４２の下端部には、規制部４３、４４が、周方向の全域にわたって一体的に形成されている。規制部４３、４４は、固定枠７から保護板３、４が外れることを防ぐために、保護板３、４の外周部の外面を覆うように形成されている。尚、規制部４３、４４は、周方向の全域にわたって形成する必要はなく、保護板３、４の外周部の一部を覆うように、周方向の一部に形成してもよい。
【００４８】
第３実施形態による表示装置１Ｂの組み立て工程では、枠部４７ｂ、４７ｃ、４７ｄを接着した後、固定溝２１に導光板２をスライドして挿入するとともに、保護板３（４）を押圧部２２（２３）と規制部４３（４４）との間にスライドして挿入する。その後、枠部４７ａの接着面２４と枠部４７ｂ、４７ｄの接着面とを接触させた状態で接着することによって表示装置１Ｂを組み立てる。
【００４９】
上述したように第３実施形態による表示装置１Ｂでは、固定枠４７に規制部４３、４４が形成されているので、保護板３、４が固定枠４７から外れることを防ぐことができる。また、固定枠４７に規制部４３、４４を設けて厚くすることにより、固定枠４７の強度を向上させることができる。
【００５０】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００５１】
例えば、上述した固定枠７は、それぞれ４つの枠部７ａ〜７ｄにより構成したが、図１３に示す固定枠６７のように、枠部６７ａと３辺を一体的に形成した枠部６７ｂとによって構成してもよい。これによって、部品点数を削減することができ、より組み立て工程を簡略化することができる。尚、このように構成する場合、枠部６７ｂの開口部側から導光板２をスライドさせて固定溝２１に挿入した後、枠部６７ａを枠部６７ｂに接着することにより組み立てる。また、第２及び第３実施形態の固定枠３７、４７に関しても、同様に３辺を一体的に形成した枠部と１辺に対応させた枠部とにより構成してもよい。
【００５２】
また、図１４に示す導光板２Ａのように外周部を固定溝２１に容易に挿入できるように、テーパー形状のテーパー部５１を形成してもよい。
【００５３】
また、導光板２を複数設けてもよい。例えば、図１５に示すように、導光板２を２枚設ける場合には、固定溝２１を各枠部７７ｂ、７７ｄに２つずつ形成すればよい。尚、枠部７７ｂ、７７ｄは、第１実施形態における枠部７ｂ、７ｄを変更したものであるが、同様に枠部７ａ、７ｃの代わりに固定溝２１を２つずつ形成したものが適用される。更に、複数の導光板２を同一平面上に配列してもよい。
【００５４】
また、上述の実施形態では、反射面１１ａを平面状に形成したが、反射面は少なくとも一部が平面状であればよく、一部を曲面によって構成してもよい。また、反射面の形状を各反射面で異ならせてもよい。特に、光源５から遠い凹部の形状を高く（深く）又は幅広に形成することによって、各反射面で反射される光の輝度を均一にすることができる。更に、反射面の形状を扇形などに形成してもよい。
【００５５】
また、押圧部や固定溝を各枠部の長さ方向の一部に形成し、導光板２の外周部の一部を押圧部によって覆い、また、固定溝に挿入するように構成してもよい。
【００５６】
また、押圧部がスポンジやゴムなどを介して間接的に導光板を押圧可能に構成してもよい。更に、押圧部が必ずしも導光板を押圧するように構成する必要はなく、導光板の外周部の少なくとも一部を覆うだけの壁部として構成してもよい。
【００５７】
また、各部材を構成する材料は適宜変更可能である。例えば、固定枠を金属、ゴム、ガラスまたはセラミックなどによって構成してもよい。また、導光板や保護板をポリカーボネート樹脂、シリコーン樹脂、シクロポリオレフィン樹脂などの合成樹脂や、ガラス板などにより構成してもよい。尚、固定枠、導光板及び保護板のそれぞれを構成する材料、特に固定枠と保護板を構成する材料は、同じ材料または線膨張係数の近い材料が好ましい。
【００５８】
また、導光板の形状は長方形状に限定されるものではなく、多角形状や円形状に形成してもよい。
【００５９】
また、上述の実施形態では、導光板２の凹部１１を金型により成型したが、凹部１１の成型方法は特に限定されるものではなく、切削加工、プレス成型、射出成型などにより凹部１１を成型してもよい。
【００６０】
また、光源５を発光ダイオード以外の発光素子、例えば、半導体レーザや有機ＥＬ素子などにより構成してもよい。
【００６１】
また、枠部７ａ〜７ｄ及び保護板３、４とを紫外線硬化樹脂による方法以外によって接着してもよい。例えば、枠部７ａ〜７ｄと保護板３、４とを熱硬化樹脂や反応硬化樹脂などの他の接着剤によって接着してもよい。また、枠部７ａ〜７ｄ及び保護板３、４をアクリル樹脂により構成する場合、アクリル樹脂を溶解させる材料によって接着してもよい。
【図面の簡単な説明】
【００６２】
【図１】第１実施形態による表示装置の全体斜視図である。
【図２】表示装置の分解斜視図である。
【図３】図１におけるＩＩＩ−ＩＩＩ線に沿った断面図である。
【図４】図１におけるＩＶ−ＩＶ線に沿った断面図である。
【図５】図４の一部拡大図である。
【図６】各組み立て工程における斜視図である。
【図７】各組み立て工程における斜視図である。
【図８】各組み立て工程における斜視図である。
【図９】第２実施形態による表示装置の分解斜視図である。
【図１０】第１実施形態における図３に相当する図である。
【図１１】第３実施形態による表示装置の分解斜視図である。
【図１２】第１実施形態における図３に相当する図である。
【図１３】変更例における固定枠の斜視図である。
【図１４】変更例における導光板の外周部近傍の断面図である。
【図１５】変更例における図３に相当する図である。
【符号の説明】
【００６３】
１、１Ａ、１Ｂ       表示装置
２、２Ａ      導光板
２ａ   表示面
２ｂ   裏面
３、４ 保護板
５     光源
７     固定枠
７ａ、７ｂ、７ｃ、７ｄ      枠部
１１   凹部
１１ａ 反射面
２１   固定溝
２２、２３    押圧部
２４   接着面
２５   上面
２６   下面
３７   固定枠
３７ａ、３７ｂ、３７ｃ、３７ｄ     枠部
４１、４２    位置決め部
４３、４４    規制部
４７   固定枠
４７ａ、４７ｂ、４７ｃ、４７ｄ     枠部
５１   テーパー部
６７   固定枠
６７ａ、６７ｂ  枠部
７７ｂ、７７ｄ         枠部
Ｇ     空間
α     傾斜角度
【図１】
2008216583.tif 000003
【図２】
2008216583.tif 000004
【図３】
2008216583.tif 000005
【図４】
2008216583.tif 000006
【図５】
2008216583.tif 000007
【図６】
2008216583.tif 000008
【図７】
2008216583.tif 000009
【図８】
2008216583.tif 000010
【図９】
2008216583.tif 000011
【図１０】
2008216583.tif 000012
【図１１】
2008216583.tif 000013
【図１２】
2008216583.tif 000014
【図１３】
2008216583.tif 000015
【図１４】
2008216583.tif 000016
【図１５】
2008216583.tif 000017